(57)【要約】【課題】マッサージ時における使用者の不快感や皮膚の損傷を防ぐことができる、複数のボールを備えたマッサージ装置の提供。  【解決手段】本考案の複数のボールを備えたマッサージ装置は、座体と複数のボールを含み、そのうち、前記座体が複数の収容部が設けられ、各収容部に少なくとも１つの開口部が形成され、前記複数のボールが上述の収容部内に対応して設置され、且つ、ボールの一部が上述の開口部から外部に露出され、前述の収容部の開口部の直径はボールの直径より小さいものとし、これにより、ボールを制限して収容部内で回転させ、脱け落ちないようにすると共に、上述の収容部の側壁に少なくとも１本の開口部に向いたスリットが設けられ、且つ、前記スリットが前記開口部まで延伸される。【選択図】図１
0003126777.tif 000002
【実用新案登録請求の範囲】
【請求項１】
座体と複数のボールを含み、そのうち、前記座体に複数の収容部が設けられ、各収容部に少なくとも１つの開口部が形成され、前記複数のボールは前記収容部内に対応してそれぞれ設置され、ボールの一部が前記開口部から外部に露出され、前記収容部の開口部の直径が前記ボールの直径より小さく、前記ボールが制限されて前記収容部内で回転し、抜け落ちないことを特徴とする、複数のボールを備えたマッサージ装置。        
【請求項２】
前記収容部の側壁に少なくとも１本の開口部に向いたスリットが形成され、且つ、前記スリットが前記開口部まで延伸される、請求項１に記載の複数のボールを備えたマッサージ装置。  
【請求項３】
前記座体が剛性の形態である、請求項１に記載の複数のボールを備えたマッサージ装置。       
【請求項４】
前記座体が可撓性の形態である、請求項１に記載の複数のボールを備えたマッサージ装置。
【請求項５】
前記座体上に結合部材が設置された、請求項１に記載の複数のボールを備えたマッサージ装置。       
【請求項６】
前記結合部材が片体であり、前記片体の相対する二端が前記座体上に固定された、請求項５に記載の複数のボールを備えたマッサージ装置。
【請求項７】
前記結合部材が面ファスナーである、請求項５に記載の複数のボールを備えたマッサージ装置。       
【請求項８】
前記結合部材がフック部材である、請求項５に記載の複数のボールを備えたマッサージ装置。
【請求項９】
前記座体に連結部材が設けられ、座体を相互に接続し座体面積を拡大した、請求項１に記載の複数のボールを備えたマッサージ装置。     
【請求項１０】
座体、ボール、位置決め体を含み、そのうち、前記座体に複数の収容部が設けられ、前記収容部の一端の開口部に当接縁部が環状に設けられ、他端に組立口が形成され、前記ボールは複数個設置することができ、前記座体の収容部内にそれぞれ設置され、前記座体の組立口から挿入されて前記座体の当接縁部に当接され、前記ボールの一部が外部に露出されると共に、前記座体の収容部から抜け落ちないよう保持され、前記位置決め体は前記収容部内に固定され、前記ボールを前記収容部内に位置決めし、自由に回転させることを特徴とする、複数のボールを備えたマッサージ装置。
【請求項１１】
前記座体が剛性の形態である、請求項１０に記載の複数のボールを備えたマッサージ装置。        
【請求項１２】
前記座体が可撓性の形態である、請求項１０に記載の複数のボールを備えたマッサージ装置。
【請求項１３】
前記座体上に結合部材が設置された、請求項１０に記載の複数のボールを備えたマッサージ装置。      
【請求項１４】
前記結合部材が片体であり、前記片体の相対する二端が前記座体上に固定された、請求項１３に記載の複数のボールを備えたマッサージ装置。
【請求項１５】
前記結合部材が面ファスナーである、請求項１３に記載の複数のボールを備えたマッサージ装置。        
【請求項１６】
前記結合部材がフック部材である、請求項１３に記載の複数のボールを備えたマッサージ装置。
【請求項１７】
前記座体に連結部材が設けられ、座体を相互に接続し座体面積を拡大した、請求項１０に記載の複数のボールを備えたマッサージ装置。        
【請求項１８】
前記収容部の組立口内側壁面に雌ネジが設けられ、前記位置決め体の周縁にそれに対応する雄ネジが設けられ、前記位置決め体が前記収容部に螺合される、請求項１０に記載の複数のボールを備えたマッサージ装置。
【考案の詳細な説明】
【技術分野】
【０００１】
本考案は複数のボールを備えたマッサージ装置に関し、詳細には、座体に複数の収容部を設置し、各収容部内にボールを設け、前記ボールが自由に回転してマッサージを行う、複数のボールを備えたマッサージ装置に関する。
【背景技術】
【０００２】
マッサージ器材のマッサージ突起は、身体のツボをマッサージしたり、痩身マッサージを行なったりするために用いられ、一部のマッサージ器材のマッサージ突起は固定式であり、いかなる回動もできないため、マッサージを行なうとき、摩擦力が大きすぎて皮膚の痛みや損傷を招くことがあり、使用上理想的とはいえない。
【０００３】
また、別のローラー式マッサージ器は、ローラーの回転方式が単一方向(前後または左右)のみであるため、その回転方向が充分に全面化されていない。
【０００４】
現在一部の健康美容器材にもマッサージ機能を備えているものがあり、例えばウエストシェイプマシンはカムでベルトを動かし、ベルトに往復式の左右の振動をさせ、ベルト上にマッサージ突起を備えた片体が配置され、人体の腰部に対しマッサージを行なうものであり、前記片体上のマッサージ突起は固定式で、ベルトの往復速度は極めて速いため、長時間使用すると皮膚に痛みや損傷が起こりやすい。
【考案の開示】
【考案が解決しようとする課題】
【０００５】
本考案の目的は、マッサージ時における使用者の不快感や皮膚の損傷を防ぐことができる、複数のボールを備えたマッサージ装置を提供することにある。  
【課題を解決するための手段】
【０００６】
本考案の複数のボールを備えたマッサージ装置は、座体と複数のボールを含み、そのうち、前記座体が複数の収容部が設けられ、各収容部に少なくとも１つの開口部が形成され、前記複数のボールが上述の収容部内に対応して設置され、且つ、ボールの一部が上述の開口部から外部に露出され、前述の収容部の開口部の直径はボールの直径より小さいものとし、これにより、ボールを制限して収容部内で回転させ、脱け落ちないようにすると共に、上述の収容部の側壁に少なくとも１本の開口部に向いたスリットが設けられ、且つ、前記スリットが前記開口部まで延伸される。
【０００７】
上述の座体は剛性または可撓性の形態とする。
【０００８】
上述の座体上に結合部材が設けられ、前記結合部材を利用して座体を対応する外部物品に取り付けることができる。
【０００９】
上述の結合部材は片体とし、この片体の相対する二端が座体上に固定される。
【００１０】
上述の結合部材は面ファスナーとすることができる。
【００１１】
上述の結合部材はフック部材とすることができる。
【００１２】
上述の座体はさらに連結部材が設けられ、前記連結部材を利用して座体を相互に接続し、座体面積を拡大することができる。
【００１３】
本考案の複数のボールを備えたマッサージ装置は、座体、ボール及び位置決め体を含み、そのうち、前記座体は複数の収容部が設けられ、前記収容部の一端の開口部の箇所に当接縁部が環状に設けられ、他端に組立口が形成され、前記ボールは複数個設けることもでき、前記座体の収容部内にそれぞれ設置され、座体の組立口から挿入されて座体の当接縁部に当接され、前記ボールの一部が外部に露出されると共に、座体の収容部から脱け落ちないよう保持され、さらに、前記収容部内に位置決め体が固定され、この位置決め体により前記ボールが収容部内に位置決めされ、且つ、自由に回転される。
【００１４】
上述の座体は剛性または可撓性の形態とする。
【００１５】
上述の座体上に結合部材が設けられ、前記結合部材を利用して座体を対応する外部物品に取り付けることができる。
【００１６】
上述の結合部材は片体とし、この片体の相対する二端が座体上に固定される。
【００１７】
上述の結合部材は面ファスナーとすることができる。
【００１８】
上述の結合部材はフック部材とすることができる。
【００１９】
上述の座体はさらに連結部材が設けられ、前記連結部材を利用して座体を相互に接続し、座体面積を拡大することができる。
【００２０】
上述の収容部の組立口の内側壁面に雌ネジが設けられ、位置決め体の周縁にこれに対応する雄ネジが設けられ、位置決め体を収容部に螺合することができる。        
【考案の効果】
【００２１】
本考案には次のような利点がある。
１．本考案のボールは回転方式で自由に運動するため、ボールが皮膚との間で相対して回転する形態となり、両者間に滑動の摩擦が生じないため、より快適なマッサージが得られる。
２．使用者の皮膚がマッサージの時に傷を負うのを防ぐことができる。
３．本考案は結合部材により健康・美容器具上に取り付けることができ、その健康美容器材のマッサージと痩身効果を強化することができる。
４．１つの座体上に複数のボールが設置されており、マッサージ時の接触点が分散され、マッサージ力がより平均化され、且つ、マッサージの範囲がより大きくなる。
５座体は連結部材により相互に接続することができ、必要に応じてマッサージ面積を増大することができる。        
【実施例１】
【００２２】
まず、図１に本考案の実施例１を示す。この実施例は座体１と、ボール２を含む。
【００２３】
前記座体１は複数の収容部１１を備え、各収容部１１は少なくとも１つの開口部１２が設けられ、且つ、収容部１１の側壁に少なくとも1本の開口部１２に向いたスリット１３が形成され、前記スリット１３は開口部１２まで延伸される。前記座体１は剛性または可撓性の形態とし、異なる使用状態に対応する。
【００２４】
前記ボール２は、上述の収容部１１の数量に対応するものとし、前記収容部１１側壁のスリット１３が形成する弾性伸張作用を利用して、ボール２が収容部１１内に押し込まれ、ボール２の一部が上述の開口部１２から外部に露出される。
【００２５】
前述収容部１１の開口部１２の直径はボール２の直径より小さいものとし、これによりボール２が制限され、収容部１１内で回転し、脱け落ちないようにする。
【００２６】
組み立て時には、図２に示すように、前記ボール２を座体１の収容部１１内にそれぞれ設置し、ボール２が収容部１１内で自由に回転できるようにする。 
【００２７】
使用時には、図３及び図４に示すように、座体１に別途結合部材３が設けられ、この結合部材３は図中においては片体を呈し、使用者の手を挿入して直接皮膚の上で動かしマッサージを行なうことができるようになっている。また、この結合部材３を利用してその他対応する物品上に取り付けることもでき、例えば図４に示すように、座体１を腹部及び腰部を高速で振動させる健康美容器材４のベルト４１上に取り付け〔図中ベルト４１は断面状態を示す〕、操作時には、高速で往復牽引するベルト４１により座体１が動かされ、ボール２が収容部１１内で座体１の移動に伴い自由に回転してマッサージを行うため、マッサージ時の抵抗力が減少され、操作が楽にでき、且つ、高度な快適性が得られ、同時に皮膚の損傷や痛みを回避することができる。
【００２８】
上述の結合部材３は面ファスナーまたはフック部材とすることができる。
【００２９】
図５に本考案の変化例を示す。座体１に連結部材５が設けられ、この連結部材５を利用し座体１を連結することができ、複数の座体１を相互に連結して全体で帯状を成し、同様に手で直接皮膚の上で動かしてマッサージをしたり、或いは健康美容器材４のベルト４１に設置して、そのマッサージ面積を増大し、マッサージ効果を向上することができる。
【実施例２】
【００３０】
図６に本考案の実施例２を示す。この実施例は座体１Aと、ボール２A、位置決め体６を含む。
前記座体１Aは複数の収容部１１Aが設けられ、収容部１１Aの一端の開口部１２A箇所に当接縁部１３Aが環状に設置され、他端に組立口１４Aが設けられ、この組立口１４Aに雌ネジ１５Aが形成され、且つ、前記座体１は剛性または可撓性の形態とすることができ、異なる使用状態に対応する。
【００３１】
ボール２Aは複数個設置することができ、前記座体１Aの収容部１１A内にそれぞれ設置され、座体１Aの組立口１４Aから挿入されて座体１Aの当接縁部１３Aに当接され、前記ボール２Aの一部が外部に露出され、且つ、座体１Aの収容部１１Aから抜け落ちることがないように設置される。
【００３２】
位置決め体６は収容部１１A内に固定され、この位置決め体６周縁に雄ネジ６１が形成され、また、位置決め体６には凹孔６２が陥没状に設けられ、この凹孔６２の上縁部６３にボール２Aが位置決めされ、且つ自由に回転することができる。位置決め体６の材質は摩擦係数が低い材質を用い、ボール２Aの回転を円滑にさせる。
【００３３】
組み立て時には、前記ボール２Aを座体１Aの収容部１１A内にそれぞれ設置し、ボール２Aの一部を収容部１１A外部に露出させ、且つ、これらボール２Aは収容部１１Aの当接縁部１３Aにより制限されて完全に収容部１１Aの外に抜け落ちることがないように保持される。さらに、位置決め体６の雄ネジ６１を利用して収容部１１Aの雌ネジ１５Aに螺合し、この位置決め体６の凹孔６２によりボールを支持し、ボール２Aが収容部１１A内に位置決めされると同時に、ボール２Aの収容部１１A内における自由な回転が影響を受けることがない。
【００３４】
また、本実施例の実施形態及びその変化例は、実施例１と同じであるため、ここでは説明を省略する。
【図面の簡単な説明】
【００３５】
【図１】本考案の実施例１の立体分解図である。
【図２】本考案の実施例１の立体斜視図である。
【図３】本考案の実施例１の平面断面図である。
【図４】本考案の実施例１をウエストシェイプマシンに応用した例の側面図である。
【図５】本考案の実施例１の座体を連結した状態を示す立体斜視図である。
【図６】本考案の実施例２の立体分解図である。
【図７】本考案の実施例２の平面断面図である。
【符号の説明】
【００３６】
１          座体                                                
１１        収容部
１２        開口部                                             
１３        スリット
２          ボール
３          結合部材
４          健康美容器材                        
４１        ベルト
５          連結部材
１A        座体                                                
１１A     収容部
１２A     開口部                                             
１３A     当接縁部
１４A     組立口                                 
１５A     雌ネジ
２A        ボール
６          位置決め体                          
６１        雄ネジ
６２         凹孔                                                
６３        上縁部
【図１】
0003126777.tif 000003
【図２】
0003126777.tif 000004
【図３】
0003126777.tif 000005
【図４】
0003126777.tif 000006
【図５】
0003126777.tif 000007
【図６】
0003126777.tif 000008
【図７】
0003126777.tif 000009